(57)【要約】【課題】トリップが発生しないようサーバーラックへの接続機器の設計を行うこと。【解決手段】分電盤１０７に接続された分電盤空き情報算出部２０６が分電盤情報テーブル２０７と分電盤実測値テーブル２０８と接続機器情報テーブル２０９とを参照し、分電盤及び接続機器に関するデータに基づいて空き端子を表す分電盤空き情報を算出し、該分電盤空き情報算出部２０６が算出した分電盤空き情報を分電盤割当情報表示部２０３によって表示する分電盤割当支援システム２０２。【選択図】図２
2016082784.tif 000002
【特許請求の範囲】
【請求項１】
複数のサーバーラックに搭載された複数の電子機器に電力を供給する分電盤に接続され、分電盤の端子毎の空き状況を確認し、トリップが発生しないように接続機器の設計を支援する分電盤割当支援システムであって、
前記分電盤の端子毎の電流の実測値を定期的に測定する分電盤実測部と、
該分電盤実測部により測定した実測値を格納する分電盤実測値テーブルと、
前記分電盤の電流容量及び端子数を含む複数レコードの分電盤情報を格納する分電盤情報テーブルと、
前記サーバーラックに搭載した電子機器の端子Ｎｏ．と機器名と機器種別と接続機器が稼働中か否かを表す冗長化構成と定格電力と機器諸元電力を含む接続機器情報を格納する接続機器情報テーブルと、
前記サーバーラックに搭載した電子機器の定格電圧及び定格電流を含む接続機器情報を接続機器情報テーブルに登録する接続機器登録部と、
前記分電盤実測値テーブルと分電盤情報テーブルと接続機器情報テーブルとを参照し、実測値と分電盤情報と接続機器情報とに基づいて空き端子を表す分電盤空き情報を算出する分電盤空き情報算出部と、を備えることを特徴とする分電盤割当支援システム。
【請求項２】
前記分電盤空き情報算出部が算出した分電盤空き情報を表示する分電盤割当情報表示部と、
前記接続機器情報テーブルに登録した接続機器情報をクライアントコンピュータの表示部に表示する接続機器情報表示部とを備え、
前記分電盤割当情報表示部が、分電盤名に対応した端子Ｎｏ．と定格電力と定格電流とステータスと接続先ラック名と機器が冗長化率と機器諸元と電流実測値の平均値・最大値・最小値と電流予測値の平均値・最大値・最小値・空きとの各項目情報を含む分電盤空き情報を表示し、
前記接続機器情報表示部が、分電盤名及び端子Ｎｏ．に対応した機器名と機器種別と冗長化構成と定格電力と機器諸元電力との各項目情報を含む接続機器情報を表示することを特徴とする請求項１記載の分電盤割当支援システム。
【請求項３】
前記分電盤空き情報算出部が、
前記接続機器情報テーブルに格納された接続機器情報から分電盤情報レコードの端子Ｎｏ．ごとに稼働中の割合である冗長化率を求める第１工程と、
前記分電盤実測値テーブルに格納された実測値から対象の端子Ｎｏ．ごとの電流実測値の最大値を求める第２工程と、
前記第１及び第２工程により算出した冗長化率及び実測値に基づき、電流実測値の最大値を冗長化率で除算した電流予測値の最大値を算出する第３工程と、
分電盤情報の定格電流から第３工程により算出した電流予測値の最大値を減算した電流予測値の空き値を算出することを特徴とする請求項２記載の分電盤割当支援システム。
【請求項４】
複数のサーバーラックに搭載された複数の電子機器に電力を供給する分電盤に接続され、分電盤の端子毎の空き状況を確認し、コンピュータによってトリップが発生しないよう接続の設計を支援する分電盤割当支援方法であって、
前記コンピュータが、
前記分電盤の端子毎の電流の実測値を定期的に測定する分電盤実測値登録機能と、
該分電盤実測部により測定した実測値を格納する分電盤実測値格納機能と、
前記分電盤の電流容量及び端子数を含む複数レコードの分電盤情報を格納する分電盤情報格納機能と、
前記サーバーラックに搭載した電子機器の端子Ｎｏ．と機器名と機器種別と接続機器が稼働中か否かを表す冗長化構成と定格電力と機器諸元電力を含む接続機器情報を格納する接続機器情報格納機能と、
前記サーバーラックに搭載した電子機器の定格電圧及び定格電流を含む接続機器情報を接続機器情報テーブルに登録する接続機器登録機能と、
前記分電盤実測値格納機能と分電盤情報格納機能と接続機器情報格納機能とを参照し、実測値と分電盤情報と接続機器情報とに基づいて空き端子を表す分電盤空き情報を算出する分電盤空き情報算出機能とを実行させることを特徴とする分電盤割当支援方法。
【請求項５】
前記コンピュータに、
分電盤空き情報算出部が算出した分電盤空き情報を表示する分電盤割当情報表示部と、
前記接続機器情報テーブルに登録した接続機器情報をクライアントコンピュータの表示部に表示する接続機器情報表示部とを設け、
前記コンピュータが、
前記分電盤割当情報表示部に、分電盤名に対応した端子Ｎｏ．と定格電力と定格電流とステータスと接続先ラック名と機器が冗長化率と機器諸元と電流実測値の平均値・最大値・最小値と電流予測値の平均値・最大値・最小値・空きとの各項目情報を含む分電盤空き情報を表示させ、
前記接続機器情報表示部に、分電盤名及び端子Ｎｏ．に対応した機器名と機器種別と冗長化構成と定格電力と機器諸元電力との各項目情報を含む接続機器情報を表示させることを特徴とする請求項４記載の分電盤割当支援方法。
【請求項６】
前記コンピュータが、分電盤空き情報算出機能に、
前記接続機器情報テーブルに格納された接続機器情報から分電盤情報レコードの端子Ｎｏ．ごとに稼働中の割合である冗長化率を求める第１工程と、
分電盤実測値テーブルに格納された実測値から対象の端子Ｎｏ．ごとの電流実測値の最大値を求める第２工程と、
前記第１及び第２工程により算出した冗長化率及び実測値に基づき、電流実測値の最大値を冗長化率で除算した電流予測値の最大値を算出する第３工程と、
分電盤情報の定格電流から第３工程により算出した電流予測値の最大値を減算した電流予測値の空き値を算出させることを特徴とする請求項５記載の分電盤割当支援方法。
【発明の詳細な説明】
【技術分野】
【０００１】
本発明は、電子機器を搭載する複数のサーバーラックを配置するデータセンターにおいて分電盤の空き容量の算出を支援することができる分電盤割当支援システム及び分電盤割当支援方法に関する。
【背景技術】
【０００２】
一般に、コンピュータシステムを構成するデータセンターは、薄型コンピュータであるサーバーや記憶装置等の電子機器を搭載する複数のサーバーラックと、該複数のサーバーラックに電力を供給する分電盤とが配置される。この分電盤は、複数の端子を有し、その端子ごとに定格値以上の電流が流れると電流をブレーカーにより遮断する機能を備える。このため、サーバーラックを多数設置する際には、サーバーラックの機器諸元値に基づいてどの端子にどの電子機器を接続するかを設計する必要がある。
【０００３】
この機器諸元値を元に適切な接続先の選定を行う技術としては、下記の特許文献１が挙げられる。この特許文献１には「顧客のマシン室に関する情報を格納する顧客情報ＤＢ１４と、メーカーごとの機器に関する情報を格納するメーカー仕様ＤＢ１５と、設計に用いる諸データを格納する設計引用ＤＢ１６と、書類及び図面を格納する顧客提出図書ＤＢ１７とを備え、これらのデータベースから情報を検索して計算する専門分野別の複数のシステムを備える」という記載がある。
【先行技術文献】
【特許文献】
【０００４】
【特許文献１】特開２００９−１４５９９３号公報
【発明の概要】
【発明が解決しようとする課題】
【０００５】
前述の特許文献１に記載された技術は、専門知識を持たない工事担当者でも迅速かつ正確にマシン室の設計を行うことができる効果に留まる。
【０００６】
そこで、本発明では、効率的に分電盤を利用することができる分電盤割当支援システム及び分電盤割当支援方法を提供することを目的とする。
【課題を解決するための手段】
【０００７】
前記目的を達成するため本発明による分電盤割当支援システムは、複数のサーバーラックに搭載された複数の電子機器に電力を供給する分電盤に接続され、分電盤の端子毎の空き状況を確認し、トリップが発生しないように接続機器の設計を支援する分電盤割当支援システムであって、
前記分電盤の端子毎の電流の実測値を定期的に測定する分電盤実測部と、
該分電盤実測部により測定した実測値を格納する分電盤実測値テーブルと、
前記分電盤の電流容量及び端子数を含む複数レコードの分電盤情報を格納する分電盤情報テーブルと、
前記サーバーラックに搭載した電子機器の端子Ｎｏ．と機器名と機器種別と接続機器が稼働中か否かを表す冗長化構成と定格電力と機器諸元電力を含む接続機器情報を格納する接続機器情報テーブルと、
前記サーバーラックに搭載した電子機器の定格電圧及び定格電流を含む接続機器情報を接続機器情報テーブルに登録する接続機器登録部と、
前記分電盤実測値テーブルと分電盤情報テーブルと接続機器情報テーブルとを参照し、実測値と分電盤情報と接続機器情報とに基づいて空き端子を表す分電盤空き情報を算出する分電盤空き情報算出部と、を備えることを主な特徴とする。
【０００８】
また、本発明による分電盤割当支援方法は、複数のサーバーラックに搭載された複数の電子機器に電力を供給する分電盤に接続され、分電盤の端子毎の空き状況を確認し、コンピュータによってトリップが発生しないよう接続の設計を支援する分電盤割当支援方法であって、
前記コンピュータが、
前記分電盤の端子毎の電流の実測値を定期的に測定する分電盤実測値登録機能と、
該分電盤実測部により測定した実測値を格納する分電盤実測値格納機能と、
前記分電盤の電流容量及び端子数を含む複数レコードの分電盤情報を格納する分電盤情報格納機能と、
前記サーバーラックに搭載した電子機器の端子Ｎｏ．と機器名と機器種別と接続機器が稼働中か否かを表す冗長化構成と定格電力と機器諸元電力を含む接続機器情報を格納する接続機器情報格納機能と、
前記サーバーラックに搭載した電子機器の定格電圧及び定格電流を含む接続機器情報を接続機器情報テーブルに登録する接続機器登録機能と、
前記分電盤実測値格納機能と分電盤情報格納機能と接続機器情報格納機能とを参照し、実測値と分電盤情報と接続機器情報とに基づいて空き端子を表す分電盤空き情報を算出する分電盤空き情報算出機能とを実行させることを主な特徴とする。
【発明の効果】
【０００９】
本発明による分電盤割当支援システム及び分電盤割当支援方法は、データセンターにおいて分電盤に接続する機器の設計時に効率的に分電盤の割当を行うことができる。
【図面の簡単な説明】
【００１０】
【図１】本発明の実施例による分電盤割当支援システムが適用されるデータセンターの電源設備を示す図。
【図２】本実施例による分電盤割当支援システムの構成を示す図。
【図３】本実施例による分電盤割当支援システムのデータ定義を示す図。
【図４】本実施例による分電盤空き情報を算出する分電盤割当支援方法のフロー図。
【図５】本実施例による分電盤割当情報の表示画面を示す図。
【図６】本実施例による接続機器情報の表示画面を示す図。
【図７】本実施例による接続機器の登録画面を示す図。
【発明を実施するための形態】
【００１１】
以下、本発明による分電盤割当支援方法を適用した分電盤割当支援システムの実施例を説明する。
【実施例】
【００１２】
［構成］
本実施例による分電盤割当支援システム及び方法が適用されるデータセンター１０１の電源設備は、図１に示す如く、変電所１０２からの電力が供給される受電設備１０３と、無停電電源であるＵＰＳ１０５と、変圧を行う変圧器１０６と、該変圧器１０６から出力される電力を分電して複数のサーバーラック１０８〜１１０に電力を供給する分電盤１０７と、非常用発電装置１０４を備える。前記分電盤１０７は、クライアントコンピュータ２０１に接続された分電盤割当支援システム２０２に接続される。
【００１３】
このように構成された電源設備は、変電所１０２から送電された電力を受電設備１０３を経てＵＰＳ１０５へ供給し、該ＵＰＳ１０５は、変電所１０２からの電力供給が途絶えた場合、非常用発電装置１０４が起動されるまでの間、電力を変圧器１０６へ供給する。変圧器１０６は、変電所１０２から送電された電力が高電圧のため、入力電圧を１００Ｖ及び２００Ｖに変圧し、分電盤１０７へ供給する。
【００１４】
前記サーバーラック１０８〜１１０には複数の電子機器が搭載されており、分電盤１０７から接続された電源コンセントに接続する。分電盤１０７には、サーバーラック１０８〜１１０に接続する端子ごとに定格電流値が設定されており、定格値以上の電流が流れた場合に遮断するように構成される（この動作をトリップと呼ぶ）。そのため、分電盤１０７は、トリップが発生しないよう接続機器の設計を行う必要がある。
【００１５】
本実施例による分電盤割当支援システム２０２は、設計担当者がクライアントコンピュータ２０１を操作して分電盤の端子ごとの空き状況を確認し、トリップが発生しないよう接続機器の設計（分電盤端子の割当）を行う。
【００１６】
この分電盤割当支援システム２０２は、図２に示す如く、次の部位により構成される。
（１）分電盤１０７と接続され、端子毎の電流の実測値を定期的に自動で測定する分電盤実測部２１０。
（２）該分電盤実測部２１０により測定した実測値を格納する分電盤実測値テーブル２０８。
（３）分電盤１０７の電流容量や端子数を含む複数レコードの分電盤情報を格納する分電盤情報テーブル２０７。
（４）サーバーラック１０８〜１１０に搭載した電子機器の定格電流等の接続機器情報を格納する接続機器情報テーブル２０９。
【００１７】
前記分電盤実測値テーブル２０８に格納した実測値と分電盤情報テーブル２０７に格納した分電盤情報と接続機器情報テーブル２０９に格納した接続機器情報とを図３に示す。この分電盤実測値テーブル２０８に格納した実測値は、端子Ｎｏ．（番号）と電圧実測値と電流実測値とから成り、分電盤情報テーブル２０７に格納した分電盤情報は、端子Ｎｏ．と定格電力と定格電流とステータスと接続ラック名とから成り、接続機器情報テーブル２０９に格納した接続機器情報は、端子Ｎｏ．と機器名と機器種別と冗長化構成（機器が冗長化のために稼働中である「Ａｃｔｉｖｅ」か待機状態である「Ｓｔａｎｂｙ」かを示す構成）と定格電力と機器諸元電力とから成り、図示の如くリンクされる。
【００１８】
（５）分電盤情報テーブル２０７と分電盤実測値テーブル２０８と接続機器情報テーブル２０９とを参照し、空き端子を表す分電盤空き情報を算出する分電盤空き情報算出部２０６。
（６）クライアントコンピュータ２０１から分電盤１０７に接続するサーバーラック１０８〜１１０に搭載した電子機器の定格電圧及び定格電流等接続機器情報を接続機器情報テーブル２０９に登録する接続機器登録部２０５。この接続機器登録部２０５による登録画面は、図７に示す如く、機器名称と機器種別と冗長化構成（機器が冗長化のために稼働中である「Ａｃｔｉｖｅ」か待機状態である「Ｓｔａｎｂｙ」かを示す構成）と定格電力と機器諸元電力の各項目情報の入力欄が表示される。
【００１９】
（７）接続機器情報テーブル２０９に登録した端子ごとの接続機器情報をクライアントコンピュータ２０１の表示部に表示する接続機器情報表示部２０４。この接続機器情報表示部２０４に表示される接続機器情報は、図６に示す如く、分電盤名及び端子Ｎｏ．に対応した機器名と機器種別と冗長化構成と定格電力と機器諸元電力との各項目情報が表示される。
【００２０】
（８）前記分電盤空き情報算出部２０６が算出した分電盤空き情報を図５に示す如くクライアントコンピュータ２０１の表示部に表示する分電盤割当情報表示部２０３。
この分電盤割当情報表示部２０３に表示する分電盤空き情報は、図５に示す如く、分電盤名に対応した端子Ｎｏ．と定格電圧と定格電流と端子への機器接続状態を表すステータス（接続中、未接続）と接続先ラック名と冗長化率と機器諸元（電力、電流）と電流実測値（平均、最大、最小）と電流予測値（平均、最大、最小、空き）との各項目情報が表示される。
【００２１】
操作者は、クライアントコンピュータ２０１の表示部に表示した画面を確認し、接続対象の機器の機器諸元値に記載の電流より空き容量が大きい場合は、接続可能と判断し、実際に機器をラックに搭載且つ電源コンセントに接続する。
【００２２】
［動作］
このように構成した本実施例による分電盤割当支援システム２０２の分電盤空き情報算出部２０６は、分電盤情報テーブル２０７と分電盤実測値テーブル２０８と接続機器情報テーブル２０９とを参照し、分電盤や接続機器に関するデータに基づいて分電盤空き情報を算出し、この分電盤空き情報を次の工程により算出する。
【００２３】
ステップＳ４０２：分電盤情報テーブル２０７に分電盤情報のレコードが存在するか否かを判定し、存在すると判定したときに次の処理を開始するステップ。
ステップＳ４０３：分電盤情報のレコードのステータスが「接続中」か「未接続」かを判定し、「未接続」と判定した場合に後述のステップＳ４０７に移行するステップ。
【００２４】
ステップＳ４０４：接続機器情報テーブル２０９から分電盤情報レコードの端子Ｎｏ．毎に冗長化構成が「Ａｃｔｉｖｅ（稼働中）」の割合（冗長化率）を次の数式により求めるステップ。
［数式１］  冗長化率＝（Σ対象の端子Ｎｏ．で冗長化構成が「Ａｃｔｉｖｅ」のレコード数）／（Σ対象の端子Ｎｏ．の全レコード数）
【００２５】
ステップＳ４０５：分電盤実測値テーブル２０８から対象の端子Ｎｏ．ごとの電流実測値（Ａ）の平均、最大、最小を次の数式により求めるステップ。
［数式２］  電流実測値（Ａ）の平均値＝Ａｖｅｒａｇｅ(対象の端子Ｎｏ．の分電盤実測値の平均値)
［数式３］  電流実測値（Ａ）の最大値＝Ｍａｘ(対象の端子Ｎｏ．の最大分電盤実測値)
［数式４］  電流実測値（Ａ）の最小値＝Ｍｉｎ(対象の端子Ｎｏ．の最小分電盤実測値)
【００２６】
ステップＳ４０６：ステップＳ４０４求めた冗長化率とステップＳ４０５で求めた実測値から予測値を次の数式により求めるステップ。
［数式５］  電流予測値の平均値＝電流実測値（Ａ）の平均／冗長化率
［数式６］  電流予測値の最大値＝電流実測値（Ａ）の最大／冗長化率
［数式７］  電流予測値の最小値＝電流実測値（Ａ）の最小／冗長化率
［数式８］  電流予測値の空き値＝分電盤情報の定格電流（Ａ）−電流予測値（Ａ）の最大値
【００２７】
ステップＳ４０７：分電盤情報テーブル２０７の分電盤情報のレコードが存在するか否かを判定し、存在すると判定したときに前記ステップＳ４０４に戻り、レコードが存在しないと判定したときに処理を終了するステップ。
【００２８】
このように本実施例による分電盤割当支援システム及び分電盤割当支援方法は、機器諸元値だけでなく、電流の実測値を用いて、分電盤の空き容量を算出し、その際、接続機器が冗長化構成となっている場合、電源が投入されていない機器が接続されている可能性があるため、実測値と接続機器の冗長化の割合から最大利用電流を予測し、設計担当者がクライアントコンピュータ２０１を操作して分電盤の端子ごとの空き状況を確認し、トリップが発生しないよう接続機器の設計（分電盤端子の割当）を行うことによって、データセンターにおける分電盤に接続する機器の設計時に効率的に分電盤の割当を行うことができる。
【００２９】
特に本発明は、分電盤空き情報算出部が、接続機器情報テーブルに格納された接続機器情報から分電盤情報レコードの端子Ｎｏ．ごとに稼働中の割合である冗長化率を［数式１］により求める第１工程と、前記分電盤実測値テーブルに格納された実測値から対象の端子Ｎｏ．ごとの電流実測値の平均値と最大値と最小値の実測値を［数式２］から［数式４］により求める第２工程と、前記第１及び第２工程により算出した冗長化率及び実測値から予測値を［数式５］から［数式８］により求める第３工程とを実行することによって、実測値と接続機器の冗長化の割合から最大利用電流を予測することによって、データセンターにおける分電盤に接続する機器の設計時に効率的に分電盤の割当を行うことができる。
【符号の説明】
【００３０】
１０８〜１１０  サーバーラック、１０１  データセンター、１０２  変電所、
１０３  受電設備、１０４  非常用発電装置、１０６  変圧器、１０７  分電盤、
２０１  クライアントコンピュータ、２０２  分電盤割当支援システム、
２０３  分電盤割当情報表示部、２０４  接続機器情報表示部、
２０５  接続機器登録部、２０６  分電盤空き情報算出部、２０７  分電盤情報テーブル、
２０８  分電盤実測値テーブル、２０９  接続機器情報テーブル、
２１０  分電盤実測部
【図１】
2016082784.tif 000003
【図２】
2016082784.tif 000004
【図３】
2016082784.tif 000005
【図４】
2016082784.tif 000006
【図６】
2016082784.tif 000007
【図７】
2016082784.tif 000008
【図５】
2016082784.tif 000009